(57)【要約】      （修正有）【課題】立ち上がり面の高さ寸法が変更されたとしても、容易に対応することが出来る新規な金属製下地材固定用クリップを提供する。【解決手段】野縁保持部ａ１によって野縁１１０が保持されると共に、その上面に直交状に配された野縁受け１３０の下部フランジ１３４の前縁立ち上がり面１３６の前面に沿って竪板部１が位置し、その上縁に連設された折曲げ係止片５を、立ち上がり面１３６の裏側へ折り曲げれば、野縁受け１３０が係止される。このとき、折曲げ箇所拡張部２ａ，２ｂにより、折曲げ係止片５の基端折曲げ箇所を適宜選択し、立ち上がり面１３６の高さ寸法に合わせて折曲げ係止片５を折り曲げることが出来る。よって、従来のクリップを用いた場合に比べ、折曲げ係止片５の折曲げ箇所の自由度が広がり、各種寸法の立ち上がり面１３６（野縁受け１３０）に対応することができる。【選択図】図５
0003123692.tif 000002
【実用新案登録請求の範囲】
【請求項１】
溝開口を横向きにした溝形状からなる断面Ｃ字形の野縁受けの下面に、該野縁受けと直交するように配設した、溝開口が上向きのリップ付き溝形状の野縁を固定するためのクリップであって、
前記野縁を保持するための野縁保持部を下部に、前記野縁受けを係止するための野縁受け係止部を上部に備え、
前記野縁受け係止部が、前記野縁受けの下部フランジ前縁における立ち上がり面の前面に沿うべき竪板部と、該竪板部の上縁に連設され前記立ち上がり面の裏側に折り曲げるべき折曲げ係止片からなり、
前記竪板部上縁に対する前記折曲げ係止片の折曲げ箇所を調整可能とする折曲げ箇所拡張部を備えたことを特徴とする金属製下地材固定用クリップ。
【請求項２】
前記折曲げ箇所拡張部が、前記竪板部の上縁と前記折曲げ係止片の基端との間に形成された湾曲状の連設部からなり、該湾曲状の連設部により、前記折曲げ係止片の折曲げ箇所が調整可能であることを特徴とする請求項１記載の金属製下地材固定用クリップ。
【請求項３】
前記折曲げ箇所拡張部が、前記竪板部の上縁における前記折曲げ係止片が連設されていない箇所に形成した、該竪板部の下縁に向けて伸びる切欠き部からなり、該切欠き部により、前記折曲げ係止片の折曲げ箇所が調整可能であることを特徴とする請求項１記載の金属製下地材固定用クリップ。
【請求項４】
前記折曲げ箇所拡張部が、前記竪板部の左右側縁又は前記折曲げ係止片の左右側縁に形成した切込みからなり、該切込みにより、前記折曲げ係止片の折曲げ箇所が調整可能であることを特徴とする請求項１記載の金属製下地材固定用クリップ。
【請求項５】
前記折曲げ箇所拡張部として、請求項２記載の湾曲状の連設部、請求項２記載の切欠き部、請求項３記載の切込みのうちのいずれか二つ以上を備えたことを特徴とする請求項１記載の金属製下地材固定用クリップ。
【請求項６】
前記竪板部の下部を前記野縁の溝開口に装入される装入部とし、該装入部の下縁左右両端に、前記野縁の左右のリップに係合する爪部を設けて前記野縁保持部が形成されていることを特徴とする請求項１〜５のいずれかに記載の金属製下地材固定用クリップ。
【請求項７】
前記折曲げ係止片を一又は複数備えていることを特徴とする請求項１〜６のいずれかに記載の金属製下地材固定用クリップ。
【考案の詳細な説明】
【技術分野】
【０００１】
本考案は、例えば天井下地構築用の金属製下地材である野縁と野縁受けを固定するクリップに関するものである。
【背景技術】
【０００２】
建築物などの天井下地構造として、天井スラブから垂れ下がるように配設された複数の吊りボルトにハンガーを取り付け、これらハンガーで金属製の野縁受けを水平に支持すると共に、この野縁受けの下面に、クリップと称される固定金具により、金属製の野縁を野縁受けと直交する状態で固定して構築されたものが知られている（例えば特許文献１〜３など参照）。
【０００３】
また、この種天井下地構造として、図３，図５に示すように、溝開口を横向きにした溝形状からなる断面Ｃ字形の野縁受け（一般的には「リップ溝形鋼」、「Ｃ形鋼」などと称す）１３０の下面に、該野縁受け１３０と直交するよう配設した、溝開口が上向きのリップ付き溝形状の野縁１１０をクリップで固定したものが知られている。
この下地構造で用いられる従来のクリップは、野縁１１０を保持するための野縁保持部を下部に、野縁受け１３０を係止するための野縁受け係止部を上部に備え、その野縁受け係止部が、野縁受け１３０の下部フランジ１３４の前縁における立ち上がり面１３６の前面に沿うべき竪板部と、該竪板部の上縁に連設され前記立ち上がり面１３６の裏側に折り曲げるべき折曲げ係止片からなり、該折曲げ係止片は、前記竪板部上縁から直角に折り曲がる状態で連設されている。
【０００４】
【特許文献１】実開昭６３−６２５１２号公報
【特許文献２】特開２００２−２７６０６８号公報
【特許文献３】特開２００４−１３１９２８号公報
【考案の開示】
【考案が解決しようとする課題】
【０００５】
前記した従来のクリップによれば、折曲げ係止片が、竪板部の上縁から直角に折り曲がる状態で連設されているので、折曲げ係止片の折曲げ位置が該直角の折り曲がり箇所に限定されてしまう。すなわち、野縁受けにおける下部フランジ前縁の立ち上がり面の高さ寸法に対する自由度が無く、立ち上がり面の高さ寸法が変更された場合に対応が難しいという問題があった。
【０００６】
本考案はこのような従来事情に鑑みて成されたもので、その目的とする処は、断面Ｃ字形の野縁受けの下部フランジ前縁における立ち上がり面の前面に沿うべき竪板部と、該竪板部の上縁に連設され前記立ち上がり面の裏側に折り曲げるべき折曲げ係止片を備えたクリップにおいて、前記立ち上がり面の高さ寸法が変更されたとしても、容易に対応することが出来る、新規な金属製下地材固定用クリップを提供することにある。
【課題を解決するための手段】
【０００７】
以上の目的を達成するために、本考案に係る金属製下地材固定用クリップは、溝開口を横向きにした溝形状からなる断面Ｃ字形の野縁受けの下面に、該野縁受けと直交するように配設した、溝開口が上向きのリップ付き溝形状の野縁を固定するためのクリップであって、
前記野縁を保持するための野縁保持部を下部に、前記野縁受けを係止するための野縁受け係止部を上部に備え、
前記野縁受け係止部が、前記野縁受けの下部フランジ前縁における立ち上がり面の前面に沿うべき竪板部と、該竪板部の上縁に連設され前記立ち上がり面の裏側に折り曲げるべき折曲げ係止片からなり、
前記竪板部上縁に対する前記折曲げ係止片の折曲げ箇所を調整可能とする折曲げ箇所拡張部を備えたことを特徴とする。
【０００８】
このような構成によれば、野縁保持部によって野縁が保持されると共に、該野縁の上面に直交状に配された野縁受けの下部フランジ前縁における立ち上がり面の前面に沿って竪板部が位置し、該竪板部の上縁に連設された折曲げ係止片を、該立ち上がり面の裏側へ折り曲げれば、野縁受けが係止される。このとき、折曲げ箇所拡張部により、折曲げ係止片の基端折曲げ箇所を適宜選択し、前記立ち上がり面の高さ寸法に合わせて、折曲げ係止片を折り曲げることが出来る。よって、従来のクリップを用いた場合に比べ、折曲げ係止片の折曲げ箇所の自由度が広がり、各種寸法の立ち上がり面に対応することができる。
【０００９】
前記折曲げ箇所拡張部の具体的態様として、前記竪板部の上縁と前記折曲げ係止片の基端との間に形成された湾曲状の連設部からなり、該湾曲状の連設部により、前記折曲げ係止片の折曲げ箇所を調整可能とした態様を挙げることが出来る。
【００１０】
また、前記竪板部の上縁における前記折曲げ係止片が連設されていない箇所に形成した、該竪板部の下縁に向けて伸びる切欠き部からなる折曲げ箇所拡張部とし、該切欠き部により、前記折曲げ係止片の折曲げ箇所を調整可能とした態様を挙げることが出来る。
【００１１】
また、前記竪板部の左右側縁又は前記折曲げ係止片の左右側縁に形成した切込みからなる折曲げ箇所拡張部とし、該切込みにより、前記折曲げ係止片の折曲げ箇所を調整可能とした態様を挙げることができる。
【００１２】
前記折曲げ箇所拡張部として、前記した湾曲状の連設部、切欠き部、切込みのうち、いずれか二つ以上を備えていても良い。
【００１３】
前記野縁保持部は、前記竪板部の下部を前記野縁の溝開口に装入される装入部とし、該装入部の下縁左右両端に、前記野縁の左右のリップに係合する爪部を設けて形成することが出来る。
【００１４】
本考案に係るクリップの使用対象であるリップ付き溝形状の野縁は、通常、２５ｍｍ幅のシングルサイズと５０ｍｍ幅のダブルサイズのものが用途に応じて多用され、それぞれに応じた幅のシングルサイズ、ダブルサイズのクリップが用いられる。よって、前記折曲げ係止片は、クリップの幅に応じて適数、すなわち、一又は複数形成することが好ましい。
例えば、シングルサイズのクリップにおいては、一つ、又は左右に分割された二つの折曲げ係止片を備えることが考えられる。ダブルサイズのクリップにおいては、クリップの幅方向の左右両端に一つずつ計二つの折曲げ係止片を設ける場合、それらの間に中央の折曲げ係止片を設けて計三つを備える場合など、種々の態様が考えられる。
さらに、前述した野縁や野縁受けにおいて、高さ寸法の異なる各種サイズのものが存在するが、本考案に係るクリップは、それらサイズに対応して、竪板部を適宜高さ寸法に形成することは言うまでもない。
尚、本考案に係るクリップは、硬質プラスチックなどで一体成型することも考えられるが、通常、表面を金属めっきした鋼板やアルミニウムなどの金属基材から打ち抜き成形される。
【考案の効果】
【００１５】
本考案に係る金属製下地材固定用クリップは以上説明したように、断面Ｃ字形の野縁受けの下部フランジ前縁における立ち上がり面の前面に沿うべき竪板部と、該竪板部の上縁に連設され前記立ち上がり面の裏側に折り曲げるべき折曲げ係止片を備えたクリップにおいて、折曲げ係止片の折曲げ箇所を適宜選択し得るようにしたので、下部フランジ前縁における立ち上がり面の高さ寸法が異なる各種の野縁受けに対応することが出来る。よって、天井下地構造の施工における部品点数の低減、施工作業の簡略化などに寄与し得、信頼性の高い天井下地構造の低コストでの施工を可能にするなど、多くの効果を有する。
【考案を実施するための最良の形態】
【００１６】
以下、本考案に係る金属製下地材固定用クリップの実施形態の例を図面に基づき説明する。
図１〜図５に示すクリップＡは、所謂シングルサイズの野縁１１０に対応したシングルサイズのクリップで、断面Ｃ字形の野縁受け１３０の下面に、該野縁受け１３０と直交するように配設した野縁１１０を固定するものである。
【００１７】
野縁受け１３０は、溝開口１３１を横向きにした溝形状からなり、溝底面（竪面）となるウエブ１３２の上縁に上部フランジ１３３を、下縁に下部フランジ１３４をそれぞれ備えると共に、上部フランジ１３３の前縁に立ち下がり面１３５を、下部フランジ１３３の前縁に立ち上がり面１３６を備えた、断面Ｃ字形の周知のものである。野縁１１０は、溝開口１１１を上向きにした溝形状からなり、溝底面となるウエブ１１３の左右側縁に左右のフランジ１１４，１１４が立ち上がり、それら左右フランジの上縁に、溝開口１１１の左右に位置するリップ１１２，１１２を備えた周知のものである。野縁１１０のウエブ１１３の下面に天井パネル１２０が接合される（図３，図５参照）。
【００１８】
クリップＡは、図１，図２に示すように、野縁１１０を保持するための野縁保持部ａ１を下部に、野縁受け１３０を係止するための野縁受け係止部ａ２を上部に備え、野縁保持部ａ１は、前述した従来のクリップと同様の構成になるが、野縁受け係止部ａ２を後述する構成としたことに特徴を有する。
【００１９】
すなわち、本例のクリップＡは、野縁受け１３０の下部フランジ１３４の前縁における立ち上がり面１３６の前面に沿う竪板部１の下部を、野縁１１０の溝開口１１１に装入される装入部３とし、該装入部３の下縁左右両端に、野縁１１０の左右のリップ１１２，１１２に係合する爪部４，４を設けて野縁保持部ａ１を形成している。また、前記竪板部１の上縁の左右に、野縁受け１３０の前記立ち上がり面１３６の裏側へ折り曲げるべき折曲げ係止片５，５を連設し、それぞれの折曲げ係止片５の基端側における折曲げ箇所を調整可能とする折曲げ箇所拡張部２ａ，２ｂを備えている。
【００２０】
折曲げ箇所拡張部２ａは、竪板部１の上縁と折曲げ係止片５の基端との間に形成された湾曲状の連設部からなり、該湾曲状の連設部２ａにより、折曲げ係止片５の折曲げ箇所が調整可能となっている。
具体的には、連設部２ａの湾曲の度合いを、例えば半径２〜３ｍｍ程度の湾曲状（２〜３ｍｍ程度のアール）とすることで、該連設部２ａが直角状である場合に比べ、折曲げ係止片５基端の折曲げ箇所を数ミリ（２〜５ｍｍ程度）の範囲内で適宜選択し得るようになっている。よって、前記立ち上がり面１３６の高さ寸法が異なる各種の野縁受け１３０に対応することが出来る。
【００２１】
本例では、前記折曲げ箇所拡張部２ａに加え、竪板部１の上縁における折曲げ係止片５，５が連設されていない箇所に形成した、竪板部下縁に向けて伸びる切欠き部２ｂからなる折曲げ箇所拡張部を備えている。この切欠き部２ｂによっても、折曲げ係止片５基端の折曲げ箇所を数ミリの範囲内で適宜選択し得るようになり、前記湾曲状連設部２ａとの相乗作用により、前記効果をより実効あるものとしている。
【００２２】
尚、図２中に仮想線で示すように、竪板部１の左右側縁又は折曲げ係止片５，５基端の左右側縁に形成した切込み（ノッチ）２ｃで折曲げ箇所拡張部とすることも出来る。折曲げ箇所拡張機能としては、前記湾曲状の連設部２ａが効果的であり、切欠き部２ｃ，切込み２ｃは補助的に設けることが好ましい。
尚、図中に符号６で示す部分は、竪板部１に設けた補強リブである。
【００２３】
以上の構成になる本例のクリップＡによれば、野縁１１０内に装入部３を装入した後、爪部４，４をリップ１１２，１１２に係合させて野縁１１０を保持し、さらに、該野縁１１０の上面に直交状に配された野縁受け１３０における下部フランジ１３４の前縁立ち上がり面１３６の前面に竪板部１を沿わせ、その後、該竪板部１の上縁から延出する折曲げ係止片５，５を立ち上がり面１３６の裏側へ折り曲げれば、野縁受け１３０が係止される。このとき、湾曲状連設部２ａ及び切欠き部２ｂによって、折曲げ係止片５基端の折曲げ箇所を数ミリの範囲内で適宜選択し得るので、前記立ち上がり面１３６の高さ寸法が異なる各種の野縁受け１３０に対応することが出来る。
【００２４】
図６〜図８では、前述した実施形態の変形例を示す。この例のクリップＡ’は、所謂ダブルサイズの野縁１１０に対応したダブルサイズのクリップであり、クリップ全体の幅がダブルサイズ野縁に対応した幅となること、折曲げ係止片５がそれに合わせて三つ備えることを特徴とし、それ以外の構成は前述のクリップＡと同様であり、該同様の構成部分については図中に前記と同一の符号を付すなどして、重複する説明及び図示を一部省略する。
【００２５】
すなわち、このクリップＡ’は、前記した竪板部１と装入部３がダブルサイズ野縁１１０に対応した幅広サイズであって、該大寸幅の装入部３の下縁左右両端に、野縁１１０の左右のリップ１１２，１１２に係合する爪部４，４を設けて野縁保持部ａ１を形成している。
【００２６】
また、大寸幅の竪板部１の上縁全長にわたって、野縁受け１３０の下部フランジ１３４の立ち上がり面１３６の裏側に折り曲げるべき折曲げ係止片５を、適宜間隔をあけて三つ形成し、各折曲げ係止片５に対応して、前記した湾曲状の連設部２ａ，切欠き部２ｂからなる折曲げ箇所拡張部を形成している。
【００２７】
よって、この例のクリップＡ’も、野縁１１０内に装入部３を装入した後、爪部４，４をリップ１１２，１１２に係合させて野縁１１０を保持し、さらに、該野縁１１０の上面に直交状に配された野縁受け１３０における下部フランジ１３４の前縁立ち上がり面１３６の前面に竪板部１を沿わせ、その後、該竪板部１の上縁から延出する折曲げ係止片５，５，５を順次立ち上がり面１３６の裏側へ折り曲げれば、野縁受け１３０が係止される。このとき、湾曲状連設部２ａと切欠き部２ｂによって、折曲げ係止片５基端の折曲げ箇所を数ミリの範囲内で適宜選択し得るので、前記立ち上がり面１３６の高さ寸法が異なる各種の野縁受け１３０に対応することが出来る。
【００２８】
尚、上述したそれぞれのクリップＡ，Ａ’は、一枚の金属板から所定の平面形状に打ち抜き加工をした後、各構成部分を順次折り曲げ加工するだけの、従来同様の工程で容易に製造することができる。製造に用いる金属板としては、亜鉛めっき鋼板、亜鉛アルミニウムめっき鋼板、アルミニウムめっき鋼板等、各種の表面処理鋼板などの、従来同様の材料を用いることができる。
【００２９】
以上、本考案に係る金属製下地材固定用クリップの実施形態の例を図面に基づいて説明したが、本考案は図示例に限定されるものではなく、実用新案登録請求の範囲に記載された技術的思想の範疇において各種の変更が可能であることは言うまでもない。
【図面の簡単な説明】
【００３０】
【図１】本考案に係る金属製下地材固定用クリップの実施形態の一例を示す斜視図。
【図２】（ａ）は図１に示すクリップの正面図、（ｂ）は同側面図である。
【図３】図１に示すクリップの使用状態を示す縦断側面図。
【図４】図３の要部拡大図。
【図５】図１に示すクリップの取り付け状態を示す斜視図。
【図６】本考案に係る金属製下地材固定用クリップの実施形態の他例を示す斜視図。
【図７】（ａ）は図６に示すクリップの正面図、（ｂ）は同側面図である。
【図８】図６に示すクリップの取り付け状態を示す斜視図。
【符号の説明】
【００３１】
Ａ，Ａ’：クリップ
ａ１：野縁保持部
ａ２：野縁受け係止部
１：竪板部
２ａ：湾曲状の連設部（折曲げ箇所拡張部）
２ｂ：切欠き部（折曲げ箇所拡張部）
２ｃ：切込み（折曲げ箇所拡張部）
３：装入部
４：爪部
５：折曲げ係止片
１１０：野縁
１３０：野縁受け
１３４：下部フランジ
１３６：立ち上がり面
【図１】
0003123692.tif 000003
【図２】
0003123692.tif 000004
【図３】
0003123692.tif 000005
【図４】
0003123692.tif 000006
【図５】
0003123692.tif 000007
【図６】
0003123692.tif 000008
【図７】
0003123692.tif 000009
【図８】
0003123692.tif 000010
【手続補正書】
【提出日】平成18年5月22日(2006.5.22)
【手続補正１】
【補正対象書類名】実用新案登録請求の範囲
【補正対象項目名】請求項５
【補正方法】変更
【補正の内容】
【請求項５】
前記折曲げ箇所拡張部として、請求項２記載の湾曲状の連設部、請求項３記載の切欠き部、請求項４記載の切込みのうちのいずれか二つ以上を備えたことを特徴とする請求項１記載の金属製下地材固定用クリップ。